(57)【要約】【課題】高軟質性、高弾性及び弾性回復性を備えた頭飾品を提供する。【解決手段】頭飾品１０は手で持つ第１の部位１と、回動関節部が枢着される第２の部位２と、髪を挟持する第３の部位３と、複数の突起４とを備える。第１の部位１と第３の部位３との間には、第２の部位２が設けられる。第２の部位２内には、髪を挟持する第３の部位３に把持力を発生させるばね５が配設される。第２の部位２と第３の部位３との間には、複数の突起４が配設される。第１の部位１、第２の部位２、第３の部位３及び複数の突起４は、複数のポリプラスチック材料からなり、組成成分がＡＢＳ樹脂、熱可塑性ゴム、消泡剤、滑剤及び増白剤で構成されているため、頭飾品１０が高軟質性、高弾性及び弾性回復性の長所を有し、頭飾品１０を変形させても、曲げ白化、クラック又は全体的な破断が発生することがなく、頭飾品１０に力を加えて変形させても復位する。【選択図】図１
0003218404.tif 000002
【実用新案登録請求の範囲】
【請求項１】
手で持つ第１の部位と、回動関節部が枢着される第２の部位と、髪を挟持する第３の部位と、複数の突起と、を備えた頭飾品であって、
前記第１の部位と前記第３の部位との間には、前記第２の部位が設けられ、前記第２の部位内には、髪を挟持する前記第３の部位に把持力を発生させるばねが配設され、前記第２の部位と前記第３の部位との間には、前記複数の突起が配設され、
前記第１の部位、前記第２の部位、前記第３の部位及び前記複数の突起は、複数のポリプラスチック材料からなり、組成成分がＡＢＳ樹脂、熱可塑性ゴム、消泡剤、滑剤及び増白剤で構成されているため、前記頭飾品が高軟質性、高弾性及び弾性回復性の長所を有し、前記頭飾品を変形させても、曲げ白化、クラック又は全体的な破断が発生することがなく、前記頭飾品に力を加えて変形させても復位することを特徴とする頭飾品。
【請求項２】
前記第１の部位、前記第２の部位、前記第３の部位及び前記複数の突起は、ショア硬さが４１Ｄ〜６０Ｄであるため、高軟質性、高弾性及び弾性回復性の長所を有し、前記頭飾品を変形させても、曲げ白化、クラック又は全体的な破断が発生することがなく、前記頭飾品に力を加えて変形させても復位することを特徴とする請求項１に記載の頭飾品。
【請求項３】
前記ＡＢＳ樹脂は７５％であり、
前記熱可塑性ゴムは２０％であり、
前記消泡剤は１．５％であり、
前記滑剤は１．５％であり、
前記増白剤は２％であることを特徴とする請求項２に記載の頭飾品。
【請求項４】
前記複数の突起は、髪を梳かすために用いられることを特徴とする請求項３に記載の頭飾品。
【請求項５】
前記突起は、前記頭飾品が髪から滑り落ちないように挟持する際の摩擦力を高めることを特徴とする請求項３に記載の頭飾品。
【請求項６】
前記突起上には、折り曲げ部が設けられ、
前記突起及び前記折り曲げ部は、前記頭飾品が髪から滑り落ちないように挟持する際の摩擦力を高めることを特徴とする請求項５に記載の頭飾品。
【考案の詳細な説明】
【技術分野】
【０００１】
本考案は、頭飾品に関し、特に、高軟質性、高弾性及び弾性回復性を備えた頭飾品に関する。
【背景技術】
【０００２】
一般に髪をセットする際、ヘアゴム、ヘアクリップ、カチューシャ、簪、ブラシその他髪を整えたり、束ねたり、梳かしたりする道具を使用することが一般的である。ヘアクリップは、髪の毛を留めるために、大きな耐屈曲性を備えなければならず、従来技術の材料の中でも、一部のメーカは単一のプラスチック材料（例えば、ＡＢＳ樹脂、ポリカーボネート（Ｐｏｌｙｃａｒｂｏｎａｔｅ：ＰＣ）又はポリプロピレン（Ｐｏｌｙｐｒｏｐｙｌｅｎｅ：ＰＰ））により製造していたが、これらの材料により製作された頭飾品のショア硬さは１００Ｄ以上であり、その特性は剛性にあり、高軟質性、高弾性及び弾性回復性を備え、頭飾品に力を加えて変形させると、曲げ白化、クラック又は全体的な破断が発生する虞がある上、ショア硬さが約５０Ｄである場合、上述した単一のプラスチック材料（例えば、ＡＢＳ樹脂、ポリカーボネート又はポリプロピレン）により製造された頭飾品は軟質性しか備えておらず、弾性回復性は略備えていなかった。
【考案の概要】
【考案が解決しようとする課題】
【０００３】
本考案の主な目的は、高軟質性、高弾性及び弾性回復性を備えた頭飾品を提供することにある。
【課題を解決するための手段】
【０００４】
上記課題を解決するために、本考案の第１の形態によれば、手で持つ第１の部位と、回動関節部が枢着される第２の部位と、髪を挟持する第３の部位と、複数の突起と、を備えた頭飾品であって、前記第１の部位と前記第３の部位との間には、前記第２の部位が設けられ、前記第２の部位内には、髪を挟持する前記第３の部位に把持力を発生させるばねが配設され、前記第２の部位と前記第３の部位との間には、前記複数の突起が配設され、前記第１の部位、前記第２の部位、前記第３の部位及び前記複数の突起は、複数のポリプラスチック材料からなり、組成成分がＡＢＳ樹脂、熱可塑性ゴム、消泡剤、滑剤及び増白剤で構成されているため、前記頭飾品が高軟質性、高弾性及び弾性回復性の長所を有し、前記頭飾品を変形させても、曲げ白化、クラック又は全体的な破断が発生することがなく、前記頭飾品に力を加えて変形させても復位することを特徴とする頭飾品が提供される。
【０００５】
前記第１の部位、前記第２の部位、前記第３の部位及び前記複数の突起は、ショア硬さが４１Ｄ〜６０Ｄであるため、高軟質性、高弾性及び弾性回復性の長所を有し、前記頭飾品を変形させても、曲げ白化、クラック又は全体的な破断が発生することがなく、前記頭飾品に力を加えて変形させても復位することが好ましい。
【０００６】
前記ＡＢＳ樹脂は７５％であり、前記熱可塑性ゴムは２０％であり、前記消泡剤は１．５％であり、前記滑剤は１．５％であり、前記増白剤は２％であることが好ましい。
【０００７】
前記複数の突起は、髪を梳かすために用いられることが好ましい。
【０００８】
前記突起は、前記頭飾品が髪から滑り落ちないように挟持する際の摩擦力を高めることが好ましい。
【０００９】
前記突起上には、折り曲げ部が設けられ、前記突起及び前記折り曲げ部は、前記頭飾品が髪から滑り落ちないように挟持する際の摩擦力を高めることが好ましい。
【考案の効果】
【００１０】
本考案の頭飾品は、高軟質性、高弾性及び弾性回復性を備える。
【図面の簡単な説明】
【００１１】
【図１】図１は、本考案の一実施形態に係る頭飾品を示す斜視図である。
【図２】図２は、本考案の一実施形態に係る頭飾品を示す分解斜視図である。
【図３】図３は、本考案の一実施形態に係る頭飾品の使用状態の説明図である。
【図４】図４は、本考案の他の実施形態に係る頭飾品を示す斜視図である。
【図５】図５は、本考案の他の実施形態に係る頭飾品を示す斜視図である。
【図６】図６は、図５の頭飾品に力を加えて変形させた際の弾性回復性を備えた状態の説明図である。
【図７】図７は、図５の頭飾品が高軟質性及び高弾性を備えて変形した状態を示す説明図である。
【図８】図８は、本考案の他の実施形態に係る頭飾品を示す斜視図である。
【考案を実施するための形態】
【００１２】
図１及び図２を参照する。図１及び図２に示すように、本考案の一実施形態に係る頭飾品１０は、手で持つ第１の部位１と、回動関節部が枢着される第２の部位２と、髪７を挟持する第３の部位３と、複数の突起４と、を備える。図１及び図２に示すように、本実施形態の第１の部位１と第３の部位３との間には、回動関節部を枢着させる第２の部位２が設けられる。第２の部位２内には、髪７を挟持する第３の部位３に把持力を発生させるばね５が配設される。第２の部位２と第３の部位３との間には、上述した複数の突起４が配設される。第２の部位２内には、ピン６によりばね５が枢着される。
【００１３】
本実施形態の頭飾品１０の第１の部位１、第２の部位２、第３の部位３及び複数の突起４は、プラスチック材料からなる。頭飾品１０のショア硬さは４１Ｄ〜６０Ｄである。頭飾品１０は、ＡＢＳ（Ａｃｒｙｌｏｎｉｔｒｉｌｅ  Ｂｕｔａｄｉｅｎｅ  Ｓｔｙｒｅｎｅ）樹脂７５％、熱可塑性ゴム（Ｔｈｅｒｍｏｐｌａｓｔｉｃ  Ｒｕｂｂｅｒ：ＴＰＲ）２０％、消泡剤（Ｄｅｆｏａｍｅｒ）１．５％、滑剤（Ｌｕｂｒｉｃａｎｔ）１．５％及び増白剤（Ｏｐｔｉｃａｌ  Ｂｒｉｇｈｔｅｎｅｒ）２％で構成されたポリプラスチック材料を形成して頭飾品１０の成形金型に注入し、射出成形により製作される。
【００１４】
本実施形態のＡＢＳ（Ａｃｒｙｌｏｎｉｔｒｉｌｅ  Ｂｕｔａｄｉｅｎｅ  Ｓｔｙｒｅｎｅ）樹脂は、高強度、高靭性、加工成形し易い特性を有する熱可塑性高分子材料である。熱可塑性ゴムは、合成ゴムとも称され、それは熱可塑性エラストマー（Ｔｈｅｒｍｏｐｌａｓｔｉｃ  Ｅｌａｓｔｏｍｅｒ：ＴＰＥ）により組成され、新たな複合配合及び特殊な生産工程により形成される。熱可塑性ゴム（Ｔｈｅｒｍｏｐｌａｓｔｉｃ  Ｒｕｂｂｅｒ：ＴＰＲ）材料は、既にプラスチック材料及びゴム材料の性能を有するため、環境汚染を防ぎ、現在広く使用されているゴム、ラテックスなどの材料を代替し、消泡剤（Ｄｅｆｏａｍｅｒ）はポリプラスチック材料の加工過程中で表面張力を下げ、有害な泡物質を除去し、消泡剤（Ｄｅｆｏａｍｅｒ）を使用して生産能力を高め、材料のロスを減らし、製品の重量を増やすことができる。滑剤（Ｌｕｂｒｉｃａｎｔ）は、ＡＢＳ樹脂（Ａｃｒｙｌｏｎｉｔｒｉｌｅ  Ｂｕｔａｄｉｅｎｅ  Ｓｔｙｒｅｎｅ）及び熱可塑性ゴム（Ｔｈｅｒｍｏｐｌａｓｔｉｃ  Ｒｕｂｂｅｒ：ＴＰＲ）のポリプラスチック材料の流動性を改善し、ショット速度、モールドベースの充填性が高く、製品の金型への粘着度が低く、製品の表面の平滑度を高めることができる。本考案は、白くて明るくするために適宜増白剤を添加してもよい。ＡＢＳ樹脂（Ａｃｒｙｌｏｎｉｔｒｉｌｅ  Ｂｕｔａｄｉｅｎｅ  Ｓｔｙｒｅｎｅ）、熱可塑性ゴム（Ｔｈｅｒｍｏｐｌａｓｔｉｃ  Ｒｕｂｂｅｒ：ＴＰＲ）、消泡剤（Ｄｅｆｏａｍｅｒ）、滑剤（Ｌｕｂｒｉｃａｎｔ）、増白剤（Ｏｐｔｉｃａｌ  Ｂｒｉｇｈｔｅｎｅｒ）などの成分によりポリプラスチック材料が構成される。ポリプラスチックは、頭飾品１０の金型に注入して射出成形すると、高軟質性及び弾性回復性を備え、曲げ白化が生じることを防ぐ頭飾品１０を完成させることができるとともに、頭飾品１０の見た目が白くて明るく、環境を保護することができる。
【００１５】
図３を参照する。図３に示すように、頭飾品１０を使用して髪７を整えるとき、髪７を挟持する第３の部位３は、挟持した髪７の張力により、変形し易い。本実施形態は、上述した組立材料と、その組立比率により、頭飾品１０を変形させても曲げ白化やクラックが発生することがない上、ユーザの頭皮に頭飾品１０が押し当てられても痛みが発生せず、髪７は、髪７を挟持する第３の部位３により切断されることがなく、頭飾品１０に力を加えて変形させた後でも依然として元の位置に回復することができる。
【００１６】
図４を参照する。図４に示すように、本考案の他の実施形態の頭飾品１０は、手で持つ第１の部位１を含む。第１の部位１上には、複数の突起４が設けられる。複数の突起４は、髪７を梳かすために用いられる。
【００１７】
図５を参照する。図５に示すように、本考案の他の実施形態に係る頭飾品１０は、手で持つ第１の部位１を含む。第１の部位１の内面には、挟持に用いる第３の部位３が設けられる。第３の部位３上には、複数の突起４が設けられる。複数の突起４は、頭飾品１０が髪７から滑り落ちないように、挟持する際の摩擦力を高めるために用いる。頭飾品１０を変形させても（図６及ぶ図７を参照する）、曲げ白化、クラック、全体的な破断などが発生することを防ぐことができる。頭飾品１０に力を加えて変形させても復位する。頭飾品１０が高軟質性、高弾性及び弾性回復性を備える長所を有するため、頭飾品１０の第３の部位３をユーザの髪７上に当接させることができる上、頭皮が圧迫されたり怪我したりしない上、安全に使用することができる。
【００１８】
図８を参照する。図８に示すように、本考案の他の実施形態の頭飾品１０は、手で持つ第１の部位１を含む。第１の部位１上には、複数の突起４が設けられる。複数の突起４上には、折り曲げ部４１が設けられる。複数の突起４及び折り曲げ部４１は、頭飾品１０が髪７から滑り落ちないように挟持する際の摩擦力を高めることができる。
【００１９】
上述したことから分かるように、本考案の頭飾品１０は、手で持つ第１の部位１と、回動関節部が枢着される第２の部位２と、髪７を挟持する第３の部位３と、複数の突起４と、を備える。頭飾品１０の第１の部位１、第２の部位２、第３の部位３及び複数の突起４は、プラスチック材料からなる。頭飾品１０の第１の部位１、第２の部位２、第３の部位３及び複数の突起４のショア硬さは４１Ｄ〜６０Ｄである。頭飾品１０は、ＡＢＳ（Ａｃｒｙｌｏｎｉｔｒｉｌｅ  Ｂｕｔａｄｉｅｎｅ  Ｓｔｙｒｅｎｅ）樹脂、熱可塑性ゴム（Ｔｈｅｒｍｏｐｌａｓｔｉｃ  Ｒｕｂｂｅｒ）、消泡剤（Ｄｅｆｏａｍｅｒ）、滑剤（Ｌｕｂｒｉｃａｎｔ）及び増白剤（Ｏｐｔｉｃａｌ  Ｂｒｉｇｈｔｅｎｅｒ）で構成されるため、製作した頭飾品１０を変形させても、曲げ白化、クラック、全体的な破断などが発生することを防ぎ、力を加えて変形させても復位する。上述した材料及び比率の組み合わせにより、高軟質性、高弾性及び弾性回復性を十分に備えるため、上述した各種プラスチックの曲げ白化、断裂、老化などの問題が発生することを防ぎ、頭飾品１０をユーザの髪７上で使用する際、頭皮が圧迫されたり怪我したりすることを防ぐことができる上、安全に使用することができる。
【符号の説明】
【００２０】
１  第１の部位
２  第２の部位
３  第３の部位
４  突起
５  ばね
６  ピン
７  髪
１０  頭飾品
４１  折り曲げ部
【図１】
0003218404.tif 000003
【図２】
0003218404.tif 000004
【図３】
0003218404.tif 000005
【図４】
0003218404.tif 000006
【図５】
0003218404.tif 000007
【図６】
0003218404.tif 000008
【図７】
0003218404.tif 000009
【図８】
0003218404.tif 000010